(57)【要約】【課題】  直列接続された複数の素子例えば発光ダイオードを定電流駆動するにあたり、素子のOPENモードの不良時にその箇所の素子電流を迂回し、当該箇所の断線状態を自動的に回避する。【解決手段】  直列接続された複数の発光ダイオード４１Ａ〜４１Ｅの各々に並列に接続されたサイリスタ発光ダイオード８１Ａ〜８１Ｅからなるバイパス回路８０Ａ〜８０Ｅに備えられるゲート電位設定回路８３Ａ〜８３Ｅによって、並列に接続された発光ダイオード４１Ａ〜４１Ｅの正常動作時にはサイリスタ８３Ａ〜８３Ｅがオフ状態にあり、上記発光ダイオード４１Ａ〜４１Ｅがオープン状態になった場合に上記オープン状態になった発光ダイオード並列接続されているサイリスタをターンオンさせるゲート電位を上記サイリスタに与える。【選択図】        図１３
2005310999.tif 000002
【特許請求の範囲】
【請求項１】
直列接続された複数の素子をパルス幅変調定電流駆動回路により定電流駆動する定電流駆動装置であって、
上記直列接続された複数の素子の各々に並列に接続されたサイリスタからなるバイパス回路を備え、
上記バイパス回路には、並列に接続された素子の正常動作時にはサイリスタがオフ状態にあり、上記素子がオープン状態になった場合に上記サイリスタをターンオンさせるゲート電位を上記サイリスタに与えるゲート電位設定回路を設けたことを特徴とする定電流駆動装置。
【請求項２】
上記パルス幅変調定電流駆動回路のパルス幅変調用スイッチング素子に抵抗を並列接続し、ターンオンしたサイリスタがターンオン状態を維持するための維持電流を上記抵抗を介して流すことを特徴とする請求項１記載の定電流駆動装置。
【請求項３】
上記直列接続された複数の素子は発光ダイオードであることを特徴とする請求項１記載の定電流駆動装置。
【請求項４】
表示パネルを背面側から照明するバックライト光源装置であって、
直列接続された複数の発光ダイオードと、
上記直列接続された複数の発光ダイオードの各々に並列に接続されたサイリスタからなるバイパス回路を備え、
上記バイパス回路には、並列に接続された発光ダイオードの正常動作時にはサイリスタがオフ状態にあり、上記発光ダイオードがオープン状態になった場合に上記サイリスタをターンオンさせるゲート電位を上記サイリスタに与えるゲート電位設定回路を設けたことを特徴とするバックライト光源装置。
【請求項５】
上記パルス幅変調定電流駆動回路のパルス幅変調用スイッチング素子に抵抗を並列接続し、ターンオンしたサイリスタがターンオン状態を維持するための維持電流を上記抵抗を介して流すことを特徴とする請求項４記載のバックライト光源装置。
【請求項６】
カラーフィルタを備えた透過型のカラー液晶表示パネルと、このカラー液晶表示パネルを背面側から照明するバックライト光源装置とからなるカラー液晶表示装置であって、
上記バックライト光源装置は、直列接続された複数の発光ダイオードと、上記直列接続された複数の発光ダイオードの各々に並列に接続されたサイリスタからなるバイパス回路を備え、上記バイパス回路には、並列に接続された発光ダイオードの正常動作時にはサイリスタがオフ状態にあり、上記発光ダイオードがオープン状態になった場合に上記サイリスタをターンオンさせるゲート電位を上記サイリスタに与えるゲート電位設定回路を設けたことを特徴とするカラー液晶表示装置。
【請求項７】
上記パルス幅変調定電流駆動回路のパルス幅変調用スイッチング素子に抵抗を並列接続し、ターンオンしたサイリスタがターンオン状態を維持するための維持電流を上記抵抗を介して流すことを特徴とする請求項６記載のカラー液晶表示装置。
【発明の詳細な説明】
【技術分野】
【０００１】
本発明は、直列接続された複数の発光ダイオード（LED:light emitting diode）をパルス幅変調定電流駆動回路により定電流駆動するようにした定電流駆動装置、この定電流駆動装置により駆動されるバックライト光源装置及びカラー液晶表示装置に関する。
【背景技術】
【０００２】
近年、液晶ＴＶやプラズマディスプレイ（PDP:Plasma Display Panel）に代表されるようにディスプレイの薄型化が流れとしてあり、中でもモバイル用ディスプレイの多くは液晶系であり、忠実な色の再現性が望まれている。また、液晶パネルのバックライトは蛍光管を使ったＣＣＦＬ（Cold Cathode Fluorescent Lamp）タイプが主流であるが、環境的に水銀レスが要求されてきており、ＣＣＦＬに変わる光源として発光ダイオード等が有望視されている。
【０００３】
一般的に、発光ダイオードを表示画素に用いたディスプレイでは、発光ダイオードをマトリクスの駆動をするために、各画素に対してＸ−Ｙのアドレッシング駆動回路を必要とし、これにより、光らせたい画素の位置にある発光ダイオードを選択（アドレッシング）し、点灯させる時間を変調することにより輝度調整を実施し（パルス幅変調（PWM：Pulse Width Modulation）駆動）、所定の階調性のある表示画面を得ている。このため、駆動用の回路が複雑になりコストが高くなっている（例えば、特許文献１参照）。
【０００４】
【特許文献１】特開２００１−２７２９３８号公報
【発明の開示】
【発明が解決しようとする課題】
【０００５】
ところで、発光ダイオードは、寿命があり、不点灯になるが、個々の素子の壊れ方には、(1)断線してしまうOPENモードによる不良と、(2)短絡してしまうShortモードによる不良と、そのいずれでもなく、(3)光量の低下が発生するモードの３種類に大きくは分類される。
【０００６】
これらの故障を検出するためには、1つ1つのLED素子を独立した駆動回路で駆動する方法を採用するとともに、個々の素子の動作状態を常にフィードバックするシステムを構築しなければならないので、コストがかさみ、実際の機器では実現が困難であった。
【０００７】
また、発光ダイオードを個別の発光画素に使用した画像表示ディスプレイが存在しているが、その場合のマトリクス型の駆動においても、前述のように、発光ダイオード個々の素子の不良を個別に判断しさらに除去する機能を備えたシステムは、従来、存在していなかった。
【０００８】
発光ダイオードを液晶ディスプレイのバックライトとして使用する場合、個々の発光ダイオードの電力が大きく、個数が比較的少ないため、不良により不点灯箇所が生じると、ムラなどを生じ、見苦しい。また、照明用途のＬＥＤ駆動装置においては、大電力駆動用のマトリクス駆動ＬＳＩ等は作成されておらず、現実的にはコスト点で不利であるため、直列接続形式が用いられると考えられるが、直列接続形式では、個々の発光ダイオードの不良が発生し、それが、断線の場合では、一列全てが不点灯となり、著しい色ムラを生じてしまう。
【０００９】
そこで、本発明の目的は、上述の如き従来の実情に鑑み、直列接続された複数の素子例えば発光ダイオードを定電流駆動するにあたり、素子のOPENモードの不良時にその箇所の素子電流を迂回し、当該箇所の断線状態を自動的に回避するようにした定電流駆動装置、この定電流駆動装置により駆動されるバックライト光源装置及びカラー液晶表示装置を提供することにある。
【００１０】
本発明の更に他の目的、本発明によって得られる具体的な利点は、以下に説明される実施の形態の説明から一層明らかにされる。
【課題を解決するための手段】
【００１１】
本発明は、直列接続された複数の素子をパルス幅変調定電流駆動回路により定電流駆動する定電流駆動装置であって、上記直列接続された複数の素子の各々に並列に接続されたサイリスタからなるバイパス回路を備え、上記バイパス回路には、並列に接続された素子の正常動作時にはサイリスタがオフ状態にあり、上記素子がオープン状態になった場合に上記サイリスタをターンオンさせるゲート電位を上記サイリスタに与えるゲート電位設定回路を設けたことを特徴とする。
【００１２】
また、本発明は、表示パネルを背面側から照明するバックライト光源装置であって、直列接続された複数の発光ダイオードと、上記直列接続された複数の発光ダイオードの各々に並列に接続されたサイリスタからなるバイパス回路を備え、上記バイパス回路には、並列に接続された発光ダイオードの正常動作時にはサイリスタがオフ状態にあり、上記発光ダイオードがオープン状態になった場合に上記サイリスタをターンオンさせるゲート電位を上記サイリスタに与えるゲート電位設定回路を設けたことを特徴とする。
【００１３】
さらに、本発明は、カラーフィルタを備えた透過型のカラー液晶表示パネルと、このカラー液晶表示パネルを背面側から照明するバックライト光源装置とからなるカラー液晶表示装置であって、上記バックライト光源装置は、直列接続された複数の発光ダイオードと、上記直列接続された複数の発光ダイオードの各々に並列に接続されたサイリスタからなるバイパス回路を備え、上記バイパス回路には、並列に接続された発光ダイオードの正常動作時にはサイリスタがオフ状態にあり、上記発光ダイオードがオープン状態になった場合に上記サイリスタをターンオンさせるゲート電位を上記サイリスタに与えるゲート電位設定回路を設けたことを特徴とする。
【発明の効果】
【００１４】
本発明では、直列接続された複数の素子の各々に並列に接続されたサイリスタからなるバイパス回路に備えられるゲート電位設定回路によって、並列に接続された素子の正常動作時にはサイリスタがオフ状態にあり、上記素子がオープン状態になった場合に上記サイリスタをターンオンさせるゲート電位を上記オープン状態になった素子に接続されているサイリスタに与えるので、直列接続された複数の素子例えば発光ダイオードを定電流駆動するにあたり、素子のOPENモードの不良時にその箇所の素子電流を迂回し、当該箇所の断線状態を自動的に回避することができる。
【発明を実施するための最良の形態】
【００１５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１６】
本発明は、例えば図１に示すような構成のバックライト方式のカラー液晶表示装置１００に適用される。
【００１７】
このカラー液晶表示装置１００は、透過型のカラー液晶表示パネル１０と、このカラー液晶表示パネル１０の背面側に設けられたバックライト光源装置２０からなる。
【００１８】
透過型のカラー液晶表示パネル１０は、ガラス等の構成された２枚の透明な基板（ＴＦＴ基板１１、対向電極基板１２）を互いに対向配置させ、その間隙に例えばツイステッドネマチック（ＴＮ）液晶を封入した液晶層１３を設けた構成となっている。ＴＦＴ基板１１にはマトリクス状に配置された信号線１４と走査線１５及びこれらの交点に配置されたスイッチング素子としての薄膜トランジスタ１６と画素電極１７が形成されている。薄膜トランジスタ１６は走査線１５により順次選択されると共に、信号線１４から供給される映像信号を対応する画素電極１７に書き込む。一方、対向電極基板１２の内表面には対向電極１８及びカラーフィルタ１９が形成されている。
【００１９】
このカラー液晶表示装置１００では、この様な構成の透過型のカラー液晶表示パネル１０を２枚の偏光板３１，３２で挟み、バックライト光源装置２０により背面側から白色光を照射した状態で、アクティブマトリクス方式で駆動することによって、所望のフルカラー 映像表示が得られる。
【００２０】
上記バックライト光源装置２０は、光源２１と波長選択フィルタ２２からなり、上記光源２１が出射する光で上記波長選択フィルタ２２を介して上記カラー液晶表示パネル１０を背面側から照明する。
【００２１】
このカラー液晶表示装置１００は、例えば図２に電気的なブロック構成を示す駆動回路２００により駆動される。
【００２２】
この駆動回路２００は、カラー液晶表示パネル１０やバックライト光源装置２０の駆動電源を供給する電源部１１０、カラー液晶表示パネル１０を駆動するＸドライバ回路１２０及びＹドライバ回路１３０、外部から映像信号が入力端子１４０を介して供給されるＲＧＢプロセス処理部１５０、このＲＧＢプロセス処理部１５０に接続された映像メモリ１６０及び制御部１７０、バックライト光源装置２０の駆動制御するバックライト駆動制御部１８０等を備えてなる。
【００２３】
この駆動回路２００において、入力端子１４０を介して入力された映像信号は、ＲＧＢプロセス処理部１５０によりクロマ処理等の信号処理がなされ、さらに、コンポジット信号からカラー液晶表示パネル１０の駆動に適したＲＧＢセパレート信号に変換されて、制御部１７０に供給されるとともに、画像メモリ１６０を介してＸドライバ１２０に供給される。また、制御部１７０は、上記ＲＧＢセパレート信号に応じた所定のタイミングでＸドライバ１２０及びＹドライバ回路１３０を制御して、上記画像メモリ１６０を介してＸドライバ１２０に供給されるＲＧＢセパレート信号でカラー液晶表示パネル１０を駆動することにより、上記ＲＧＢセパレート信号に応じた映像を表示する。
【００２４】
ここで、カラーフィルタ１９は各画素電極１７に対応した複数のセグメントに分割されている。例えば、図３の（Ａ）に示すように３原色である赤色フィルタＣＦＲ、緑色フィルタＣＦＧ、青色フィルタＣＦＢの３つのセグメント、図３の（Ｂ）に示すように３原色（ＲＧＢ）にシアン（Ｃ）を加えた赤色フィルタＣＦＲ、シアン色フィルタＣＦＣ、緑色フィルタＣＦＧ、青色フィルタＣＦＢの４つのセグメント、あるいは、図３の（Ｃ）に示すように３原色（ＲＧＢ）にシアン（Ｃ）とイエロー（Ｙ）を加えた赤色フィルタＣＦＲ、シアン色フィルタＣＦＣ、青色フィルタＣＦＧ、イエロー色フィルタＣＦＹ、青色フィルタＣＦＢの５つのセグメントに分割されている。
【００２５】
ここで、上記バックライト光源装置２０には、透過型のカラー液晶表示パネル１０を背面に配設された複数の発光ダイオード（LED:t emitting diode）により照射するエリアライト方式の光源２１が採用されている。
【００２６】
このバックライト光源装置２０の光源２１における発光ダイオードの配置について説明する。
【００２７】
図４は、発光ダイオードの配置例として、単位セル４−１，４−２毎に、赤の発光ダイオード１、緑の発光ダイオード２及び青の発光ダイオード３をそれぞれ２個使用し、合計６個の発光ダイオードを一列に配列した様子を示している。
【００２８】
この配置例では６個であるが、使用する発光ダイオードの定格、発光効率などにより、混合色をバランスの良い白色光とするために、光出力バランスを整える必要から、各色の個数配分は本例以外のバリエーションがありうる。
【００２９】
図４に示した配置例において、上記単位セル４−１と単位セル４−２は、全く同一の物であり、中央の両端矢印部分で接続されている。また、図５は、上記単位セル４−１及び単位セル４−２が接続された形を電気回路図記号のダイオードマークによって図示したものである。この例の場合、各発光ダイオード、すなわち、赤の発光ダイオード１、緑の発光ダイオード２、青の発光ダイオード３は左から右に電流が流れる方向に極性を合わせて直列接続されている。
【００３０】
ここで、赤の発光ダイオード１、緑の発光ダイオード２及び青の発光ダイオード３をそれぞれ２個使用し、合計６個の発光ダイオードを一列に配列した単位セル４を各色の発光ダイオードの個数でパターン表記すると図６に示すように（２Ｇ  ２Ｒ  ２Ｂ）となる。すなわち、（２Ｇ  ２Ｒ  ２Ｂ）は、緑と赤と青２個ずつ合計６個のパターンを基本単位としていることを示す。そして、図７に示すように、上記基本単位の単位セル４を３つ連続に繋げた場合、記号が３＊（２Ｇ  ２Ｒ  ２Ｂ）で、発光ダイオードの個数でパターン表記すると（６Ｇ  ６Ｒ  ６Ｂ）で示される。
【００３１】
次に、上記バックライト光源装置２０の光源２１における実際の発光ダイオードの配置例を図７の表記に基づき説明する。
【００３２】
光源２１には、図８に示すように、前述した発光ダイオードの基本単位（２Ｇ  ２Ｒ  ２Ｂ）の３倍を１つの中単位（６Ｇ  ６Ｒ  ６Ｂ）として、垂直に４行、水平に５列、合計で３６０個の発光ダイオードが配置されている。
【００３３】
そして、上記３６０個の発光ダイオード全てに対して、個々のアドレッシングを施すことは容易でないので、このバックライト光源装置２０では、図９に示すような駆動構成としている。
【００３４】
すなわち、ｎ列のそれぞれに対応するＲＧＢのペアｇ１〜ｇｎは、各列にＲＧＢの各発光ダイオードそれぞれが独立して直列接続されており、ＤＣ−ＤＣコンバータ７により定電流が流される構成となっている。
【００３５】
図１０を参照して、定電流をＬＥＤ直列接続基板ｍ１，ｍ２に流すための具体的な構成例の説明をする。
【００３６】
すなわち、複数の発光ダイオードが直列接続されたＬＥＤ列４０は、一端が検出抵抗（Ｒｃ）５を介してＤＣ−ＤＣコンバーター７に接続され、また、他端がＦＥＴ６を介して接地されている。
【００３７】
上記ＤＣ−ＤＣコンバーター７は、出力電圧Ｖｃｃの設定に対して、検出抵抗５による電圧降下を検出して、直列接続されたＬＥＤ列に所定の定電流ＩＬＥＤが流れるようにフィードバックループを構成している。この例では、上記検出抵抗５による降下電圧がサンプルホールドスイッチ８を介してコンデンサ９にサンプルホールドされて上記ＤＣ−ＤＣコンバーター７に帰還される。
【００３８】
また、上記バックライト駆動制御部１８０に備えられたドライバーＩＣ１８１からＦＥＴ６のゲートに加えられるｍａｉｎ  ＰＷＭ（Pulse Width Modulation）信号により、ＬＥＤ列４０に流れる電流が所定の期間ＯＮ−ＯＦＦされることにより、発光ダイオードの発光量を増減せしめる構成となっている。
【００３９】
すなわち、このバックライト光源装置２０では、上記バックライト駆動制御部１８０に備えられたドライバーＩＣ１８１から供給されるｍａｉｎ  ＰＷＭ信号によりＦＥＴ６をスイッチング動作させて、複数の発光ダイオード４１Ａ〜４１Ｅを直列接続してなるＬＥＤ列４０にＤＣ−ＤＣコンバーター７により供給された駆動電流をＯｎ−ＯＦＦすることによって、上記発光ダイオード４１Ａ〜４１Ｅをパルス幅変調定電流駆動するようになっている。
【００４０】
なお、この例では、定電流を波高値で制御するために、電流検出のフィードバックループにサンプルホールドを備えているが、これはひとつの例であって、他の方法を用いてもよい。
【００４１】
また、この例では、ｍａｉｎ  ＰＷＭ信号に基づいてサンプルホールドスイッチ駆動回路１８３により作成されるサンプルパルスが上記サンプルホールドスイッチ８に供給されるようになっている。
【００４２】
なお、この図１０に示した一群のＬＥＤ列４０は、図９に示したｎ列のそれぞれに対応するＲＧＢのペアｇ１〜ｇｎの１列に対している。したがって、同様の回路が、本例では、ｇｎ列×３倍（ＲＧＢ分）必要となる。
【００４３】
次に、このバックライト光源装置２０において、直列接続された複数の発光ダイオードを定電流駆動するにあたり、素子のOPENモードの不良時にその箇所の素子電流を迂回し、当該箇所の断線状態を自動的に回避するための構成について、図１１〜図１３を参照して説明する。
【００４４】
すなわち、図１１に示す構成例では、直列接続された５個の発光ダイオード４１Ａ〜４１Ｅには、個々に並列に接続されたサイリスタ８１Ａ〜８１Ｅと分圧抵抗８２Ａ（Ｒａ１，Ｒａ２）〜８２Ｅ（Ｒｅ１，Ｒｅ２）からなるバイパス回路８０Ａ〜８０Ｅが設けられている。
【００４５】
上記分圧抵抗８２Ａ〜８２Ｅは、各中点がサイリスタ８１Ａ〜８１Ｅのゲート端子に接続されており、並列に接続された発光ダイオード４１Ａ〜４１Ｅの正常動作時にはサイリスタ８１Ａ〜８１Ｅがオフ状態にあり、上記発光ダイオード４１Ａ〜４１Ｅがオープン状態になった場合に上記サイリスタ８１Ａ〜８１Ｅをターンオンさせるゲート電位を上記サイリスタ８１Ａ〜８１Ｅに与えるゲート電位設定回路８３Ａ〜８３Ｅを構成している。
【００４６】
直列接続された５個の発光ダイオード４１Ａ〜４１Ｅは、正常に動作している場合、上から下に向けて、各々Ｖｆａ〜Ｖｆｅまでの個別の電圧降下を有しており、製造ロットに応じてばらつきを持つ。また、直列接続された５個の発光ダイオード４１Ａ〜４１ＥはＦＥＴ６によってＰＷＭ駆動される。そして、この構成例では、上記ＦＥＴ６に並列に抵抗８５（Ｒｆ）を接続することによって、ターンオンしたサイリスタがターンオン状態を維持するための最低維持電流を上記抵抗８５を介して流すようになっている。
【００４７】
抵抗８５は、上記ＦＥＴ６がｏｆｆの状態のときに、発光ダイオード４１Ａ〜４１ＥにＩ・Ｒｆなる電流をわずか流しておくために設けられている。つまり、完全な発光は期待できないが、サイリスタがターンオフすることのない最低維持電流を常に流しておく。
【００４８】
ここで、図１２を用いてサイリスタについて簡単に説明する。
【００４９】
サイリスタは、図１２の（Ａ）に示すようにトランジスタにさらにもう一つＰＮ接合を付けたＰＮＰＮの４層からなる素子でアノードＡとゲートＧとカソードＫの３端子素子であり、アノード・カソード（Ａ−Ｋ）間は通常導通していないが、ゲートＧに＋、カソードＫに−の電圧を加えると、図１２の（Ｂ）に示すようにゲート電流が流れ（Ｉ１）、アノードＡからカソードＫに電流が流れるようになる。そして、これはゲート・カソード（Ｇ−Ｋ）間への電圧印加を停止しても続く。すなわち、ゲート・カソード（Ｇ−Ｋ）間に短時間でも電圧を印加すれば、（Ｉ２）,（Ｉ３）を経てアノード端子Ａからカソード端子Ｋに電流が流れ導通状態に至る。アノード・カソードＡ−Ｋ間の印加電圧を取り去らないで、最低維持電流を流せば、電流が流れ続ける。サイリスタのＯＮ抵抗は低く、損失が少ない。
【００５０】
上記ゲート電位設定回路８３Ａ〜８３Ｅは、発光ダイオード４１Ａ〜４１Ｅが正常に動作している状態における各発光ダイオード４１Ａ〜４１Ｅでの電圧降下（この例では約４Ｖ）では各サイリスタ８１Ａ〜８１Ｅをオフ状態に維持する。
【００５１】
そして、図１３に示すように、例えば発光ダイオード４１ＢにOPENモードの不良が発生すると、この発光ダイオード４１Ｂの端子電圧が上昇することにより、瞬時に、ゲート電流が流れてサイリスタ８１Ｂが瞬時にターンオンする。ターンオンしたサイリスタ８１Ｂ、ＯＮ状態は、サイリスタの性質によって、印加電圧を取り去るか、最低維持電流以下にならない限り、ゲート電位を取り去っても続くので、上記抵抗８５の抵抗値を適正に設定することによって、ＯＰＥＮ不良となった発光ダイオードを効果的にバイパスすることができる。
【図面の簡単な説明】
【００５２】
【図１】本発明を適用したバックライト方式のカラー液晶表示装置の構成を示す模式的な斜視図である。
【図２】上記カラー液晶表示装置の駆動回路の構成を示すブロック図である。
【図３】上記カラー液晶表示装置おけるカラー液晶パネルに設けられるカラーフィルタの構成を示す模式的な平面図である。
【図４】上記カラー液晶表示装置を構成するバックライト光源装置における発光ダイオードの配置例を模式的に示す図である。
【図５】上記発光ダイオードの配置例における各発光ダイオードが接続された形を電気回路図記号のダイオードマークによって模式的に示した図である。
【図６】赤の発光ダイオード、緑の発光ダイオード及び青の発光ダイオードをそれぞれ２個使用し、合計６個の発光ダイオードを一列に配列した単位セルを各色の発光ダイオードの個数でパターン表記して模式的に示した図である。
【図７】基本単位の単位セル４を３つ連続に繋げた場合を発光ダイオードの個数でパターン表記して模式的に示した図である。
【図８】上記バックライト光源装置の光源２１における実際の発光ダイオードの配置例をＬＥＤの個数でパターン表記して模式的に示した図である。
【図９】上記バックライト光源装置における発光ダイオードの駆動構成を模式的に示す図である。
【図１０】上記バックライト光源装置における直列接続された複数の発光ダイオードに定電流を流すための具体的な構成例を模式的に示す図である。
【図１１】上記バックライト光源装置において、直列接続された複数の発光ダイオードを定電流駆動するにあたり、素子のOPENモードの不良時にその箇所の素子電流を迂回し、当該箇所の断線状態を自動的に回避するための構成を模式的に示す図である。
【図１２】サイリスタの構造及び動作を模式的に示す図である。
【図１３】上記バックライト光源装置において、直列接続された複数の発光ダイオードのOPENモードの不良時に、その箇所の素子電流を迂回し、当該箇所の断線状態を回避する動作を模式的に示す図である。
【符号の説明】
【００５３】
１，２，３，４１，４１Ａ〜４１Ｅ  発光ダイオード、４−１，４−２  単位セル、５  検出抵抗、６  ＦＥＴ、７  ＤＣ−ＤＣコンバーター、８  サンプルホールドスイッチ、９  コンデンサ、１０  カラー液晶表示パネル、１１  ＴＦＴ基板、１２  対向電極基板、１３  液晶層、１４  信号線、１５  走査線、１６  薄膜トランジスタ、１７  画素電極、１８  対向電極、１９  カラーフィルタ、２０  バックライト光源装置、２１  光源２１、２２  波長選択フィルタ、３１，３２  偏光板、４０  ＬＥＤ列、８０Ａ〜８０Ｅ  バイパス回路、８１Ａ〜８１Ｅ  サイリスタ、８２Ａ〜８２Ｅ  分圧抵抗、８３Ａ〜８３Ｅ  ゲート電圧設定回路、８５  抵抗、、１００  カラー液晶表示装置、１１０  電源部、１２０  Ｘドライバ回路、１３０  Ｙドライバ回路、１４０  入力端子１４０、１５０  ＲＧＢプロセス処理部、１６０  映像メモリ、１７０  制御部、１８０  バックライト駆動制御部、１８１  ドライバーＩＣ、１８２  駆動制御回路、１８３  サンプルホールドスイッチ駆動回路、２００  駆動回路
【図１】
2005310999.tif 000003
【図２】
2005310999.tif 000004
【図３】
2005310999.tif 000005
【図４】
2005310999.tif 000006
【図５】
2005310999.tif 000007
【図６】
2005310999.tif 000008
【図７】
2005310999.tif 000009
【図８】
2005310999.tif 000010
【図９】
2005310999.tif 000011
【図１０】
2005310999.tif 000012
【図１１】
2005310999.tif 000013
【図１２】
2005310999.tif 000014
【図１３】
2005310999.tif 000015
【手続補正書】
【提出日】平成17年4月14日(2005.4.14)
【手続補正１】
【補正対象書類名】図面
【補正対象項目名】図３
【補正方法】変更
【補正の内容】
【図３】
2005310999.tif 000016